Podtech/llm-jp-corpus-v4-ja_patent huggingface dataset:
(57)【要約】      （修正有）【解決手段】本体１に三方向の排水流入口２を一体的に持つことを特徴とする排水管継手である。【効果】三方口を一体的に持った排水管継手であるために、現場施工時間が大幅に短縮でき、パイプ接着作業で、のり付け不備、接着角度のズレ等が生じなくなり、またカッティング誤差もなくなる。【選択図】  図１
2005009272.tif 000002
【特許請求の範囲】
【請求項１】
排水管の三方口を一体的に持ったことを特徴とする排水管継手
【発明の詳細な説明】
【０００１】
【発明に属する技術分野】
この発明は、排水管に用いる継手の形状に関する
【０００２】
【従来の技術】
従来の排水管に用いる継手は、建築現場における床転がし排水配管等の作業で継手部材を１個ずつの寸法合わせ、カッティング、接着組込み、配置及び固定等の様々な作業があった。
【０００３】
また従来の配管に用いる継手では、転がし配管等でトイレやお風呂、台所等の排水管が集中する箇所では継手の数も多く、接着作業において、のり付け不備、接着角度のズレ等が起こりやすかった。
【０００４】
さらに従来の配管に用いる継手では、建築現場でのパイプの切断の際にわずかながら斜めになるのことが多く、接着する継手との間に隙間ができることが多かった。
【０００５】
【発明が解決しようとする課題】
しかしながら、従来の配管に用いる継手では熟練した技術者であっても、建築現場での配管組込み作業では、継手の数も多く、作業時間がかかるだけでなく、接着作業でも、のり付け不備、接着角度のズレ等が起こりやすく、また、パイプの切断の際にわずかながら斜になるのことが多く、接着する継手との間に隙間ができ、ここにゴミがたまるなど、詰まりや漏水の原因となることがあった。そこで、この発明では、上記の従来の配管に用いる継手の課題を解消しようとするものであり、優れた排水管三方継手を提供するのが目的である。
【０００６】
【課題を解決するための手段】
以上の課題を解決するために、請求項１の発明は、排水管の三方口を一体的に持ったことを特徴とする排水管継手である。
【０００７】
この発明では、建築現場での配管の寸法合わせ、カッティング、接着組込み等の作業が最小限で済み、施工時間を大幅に短縮でき、施工に要する作業員の延べ人数も削減できる。
【０００８】
さらにこの発明によって、パイプ接着作業において、のり付け不備、接着角度のズレ等がなくなり、ゴミなどによる詰まりや漏水の原因が軽減される。
【０００９】
また、この発明によって、従来の継手部分でのカッティング作業がなくなりカッティング誤差による隙間に詰まりや漏水の原因が軽減される。
【００１０】
【発明の実施形態】
この発明の一実施形態を、図１に示す。
継手の本体１は塩化ビニール製で、配管口が上下及び９０度Ｙ方向に配置されていて、排水は流入口▲２▼から流出口▲３▼へ流れる。
【００１１】
この発明の一実施形態を、図２に示す。
継手の本体１は塩化ビニール製で、配管口が上下及び相対９０度Ｙ方向に配置されていて、排水は流入口▲２▼から流出口▲３▼へ流れる。
【００１２】
この発明の一実施形態を、図３に示す。
継手の本体１は塩化ビニール製で、配管口が上下及び相対９０度Ｙ方向に配置されていて、排水は流入口▲２▼から流出口▲３▼へ流れる。
【００１３】
【実施形態の効果】
この実施形態によれば、三方口を一体的に持った排水管継手であるために、現場施工時間が大幅に短縮でき、パイプ接着作業で、のり付け不備、接着角度のズレ等が生じなくなり、またカッティング誤差もなくなる。
【００１４】
【他の実施形態】
この発明の一実施形態を、図４に示す。
継手の本体１は塩化ビニール製で、配管口が上下及び４５度Ｙ方向に配置されていて、排水は流入口▲２▼から流出口▲３▼へ流れる。
【００１５】
この発明の一実施形態を、図５に示す。
継手の本体１は塩化ビニール製で、配管口が上下及び相対４５度Ｙ方向に配置されていて、排水は流入口▲２▼から流出口▲３▼へ流れる。
【００１６】
このようなＹ字型にすることで現場での排水管の配管処理パターンがより柔軟に対応できるようになる。
【００１７】
【発明の効果】
以上説明したように、この発明によれば、三方口を一体的に持った排水管継手であるために、現場施工時間が大幅に短縮でき、パイプ接着作業で、のり付け不備、接着角度のズレ等が生じなくなり、またカッティング誤差もなくなる。
【００１８】
また、図面通りの配管及び固定が可能になり、かつパイプ内に隙間もできないので、ゴミなどによる詰まりや漏水の原因が軽減される。
【図面の簡単な説明】
【図１】三方継手同向ＴＹの平面図
【図２】三方継手逆向ＴＹ１の平面図
【図３】三方継手逆向ＴＹ２の平面図
【図４】三方継手同向Ｙの平面図
【図５】三方継手逆向Ｙの平面図
【符号の説明】
１、本体
２、流入口
３、流出口
【図１】
2005009272.tif 000003
【図２】
2005009272.tif 000004
【図３】
2005009272.tif 000005
【図４】
2005009272.tif 000006
【図５】
2005009272.tif 000007
(57)【要約】      （修正有）【課題】破損、または老朽化した既設の歩車道用境界ブロックを補修する場合、従来のように新しい境界ブロックに取り替える方法では、コスト高となってしまう。そこで、破損、または老朽化した既設の境界ブロックを補修することにより、工期を短縮し、人件費、材料費を削減することが可能となる。【解決手段】破損、または老朽化した既設の歩車道境界ブロックの表面の状況により、表面を削るか、または洗浄する。その後、コウキング（化粧）するシステム。破損部は補修し、コウキング（化粧）は、色および形を自由にできるシステム。【選択図】図１
2005009280.tif 000002
【特許請求の範囲】
【請求項１】
破損したり又上下した既設の、歩車道境界ブロックの表面を削りコウキングして補修するのと、洗浄するだけで、コウキング（化粧）するシステム。
【請求項２】
破損は補修し、コウキングは色も形も自由に出来るシステム。
【発明の詳細な説明】
【産業上の利用分野】古くなった既設の、歩車道境界ブロックを補修する時、従来のように新品に変えるよりコストを削減できる。
【従来の技術】新品に変える。
【発明が解決しようとする課題】新品に変えるよりも、工期と人権費と材料費を短縮及び、削減できる。
【作用】工期と人権費と材料費を短縮及び、削減でき、ブロックの色を自由に選択できる。
【実施例】ない。
【発明の効果】歩車道境界ブロックを簡単に補修できる。
【図面の簡単な説明】
【図１】破損した既設の、歩車道境界ブロックが補修される段階を表わした図面。
【図１】
2005009280.tif 000003
(57)【要約】【課題】鉄筋内配管を簡単に早くできる事、腰痛にならないようにする事【解決手段】上下２つに分けた下部分を上部分の腕で引っ張り上下の間に鉄筋等を通し腕が押されて下部から離れて鉄筋をよけた後、バネにより腕が戻り下部を引っ張る。ハンドルを設けて移動しやすくした。【選択図】  図１
2005009276.tif 000002
【特許請求の範囲】
【請求項１】
鉄筋を上下部分の間に通し上部分の腕１数本で下部分をつかみ下部分の５に管を付け、ハンドル２を引っ張って移動する。目的地まで立ったままで配管ができる事を特徴とする。
【請求項２】
上部分と下部分に分け上部分の腕１数本で下部分を引っ張り上げながら移動時も移動方向に引っ張ることができ間に鉄筋等の障害物を通しても腕１が障害物に押され下部から外れて障害物をかわした後元に戻り再び下部を引っ張る事を特徴とする。
【請求項３】
請求項２で腕１が障害物に押され下部を引っ張れないときは図１では腕１が２つになっているが腕１を複数設け、他の腕で下部を引っ張る事を特徴とする。
【発明の詳細な説明】
【０００１】
【発明の属する技術分野】
コンクリート打設前の鉄筋内の配管作業に属する。
【０００２】
【従来の技術】
従来は管を手で押しながら少しずつ進むか竿を使ってかんを引っ張っていた。この作業を２〜３ｍ毎に行っていた。
【０００３】
【発明が解決しようとする課題】
従来の技術は時間がかかりよくしゃがむので腰が痛くなる。
【０００４】
【課題を解決するための手段】
以上の問題を解決するために上部分、下部分に分け上部分の腕１で下部分を上及び進む方向に引っ張る上下の間に鉄筋等障害物を通し障害物が腕１を押し上げ障害物をよけた後バネ３の力で腕が元にもどる事を特徴とする道具。
【０００５】
【発明の一実施の形態】
この発明の一実施形態を、図１に示す
上部、下部に分け上部にはハンドル２、腕１、バネ３があり下部には配管取り付け部９、腕１の引っかかりの穴４がある。鉄筋等を上下の間に通し腕１が押されるとバネ３を伸ばし鉄筋を逃がした後は元に戻る。
【０００６】
【実地形態の効果】
この実地形態によれば、立ったまま目的の場所まで配管することができるこれにより作業時間も短縮され早く楽にでき、腰痛にもなりにくい。
【０００７】
【他の実地形態】
図１の腕の形及び本数は図１と異なってもよい。
上下に分け障害物を間に入れ障害物を逃げれれば図１と異なる形態でもよい。
【０００８】
【発明の効果】
この発明によれば、配管時しゃがむ回数が大幅に減り腰痛及び時間の短縮になる。
【０００９】
【図面の簡単な説明】
【図１】スラブ配管具の一実施形態を示す横面図である。
１−下部引っ掛けよう腕        ４−引っ掛けよう穴
２−ハンドル                  ５−管取り付け位置
３−バネ
【図１】
2005009276.tif 000003
(57)【要約】【課題】注水方式の地盤掘削装置において送液注水が円滑に行われると共に、注水休止時の注水口への土砂等の浸入を防止する。【解決手段】掘削ヘッド１面盤２の適所に設けた注水口４から水または泥水を噴出させる地盤掘削装置において、注水口４に円錐形状または多角錐形状を有しゴム等の弾性体からなる逆止弁３を設けることを特徴とする。【選択図】  図１
2005009271.tif 000002
【特許請求の範囲】
【請求項１】
注水口から水を噴出させ、この水によりカッターの冷却及び排土効率の向上を図る方式の地盤掘削装置において、注水口に円錐形状または多角錐形状を有しゴム等の弾性体からなる逆止弁を設けることを特徴とする地盤掘削装置。
【発明の詳細な説明】
【０００１】
【発明の属する技術分野】
本発明は地盤掘削装置に係わり、特に掘削ヘッドの注水用逆止弁に関する。
【０００２】
【従来の技術】
小口径の埋設管を地中に埋設する手段として、従来地盤掘削装置の掘削ヘッドにより先端地盤を掘削しつつ、その掘削跡に埋設管を押進して埋設する工法が広く用いられており、掘削時に前記掘削ヘッド面盤の適所に設けた注水口から水または泥水を噴出させ、この水によりカッターの冷却及び掘削排土効率の向上を図るようになされており、この注水は地盤掘削装置においては必須の重要項目となっている。
【０００３】
しかし、前記した注水口は地盤に対して常に開口しているため、該地盤の土砂が詰まり易く送液不良や不能を生じることがある。このため、注水口の前面に一文字や十文字の切り込み（図３の（３−１Ｂ））を入れた円形平板のゴム弁等が取付けられた（特許文献１参照）。
【特許文献１】
特開２００２−３８８８０号公報。
【０００４】
【発明が解決しようとする課題】
しかるに前記図３の１〜３に示した従来の構造（図３の（３−１Ａ））では、ポンプからの注水圧が掛かっている間は、このゴム弁が注水方向へ膨らみ（図３の（３−２））、（且つ継続的に水が注水されているので地山方向からの土砂の流入はないが、スクリューの継足し時や一日の作業終了時等注水圧が掛からなくなると、地山からの逆圧で反注水方向にゴム弁が膨らんで（図３の（３−３）に示す）切り込み部の隙間が拡大してしまい、土砂が流入することとなり、結果として、この土砂が堆積し注水経路を塞ぎ、次に注水する際水が出ないという問題を起こすことがあった。
【０００５】
本発明は送液注水が円滑に行われると共に、注水口への土砂等の浸入を防止して注水によるカッターの冷却及び掘削排土効率の向上した地盤掘削装置を提供することを課題としてなされたものである。
【０００６】
【課題を解決しようとする手段】
上記課題を解決する手段として本発明は、掘削ヘッド面盤の適所に設けた注水口から水または泥水を噴出させる地盤掘削装置において、注水口に円錐形状または多角錐形状を有しゴム等の弾性体からなる逆止弁を設け、掘削装置側からの注水には問題なく地山からの逆圧で土砂が流入することを防止した地盤掘削装置にある。
【０００７】
こうした構造より、注水休止時の地山から逆圧が掛かった場合、前記逆止弁はより固く閉じることとなり、その結果注水経路に土砂が流入することを防止できる。
【０００８】
【発明の実施の形態】
以下、本発明を図面に示す実施の形態を参照して説明する。
【０００９】
図１は本発明を実施するに用いる地盤掘削装置の掘削ヘッド１の一実施形態を示すもので、図１の（１−１）は掘削ヘッド１の側面断面図であり、図１の（１−２）はその正面図であり、図１の（１−３Ａ）は図１の（１−１）の逆止弁３部の拡大図であり、図１の（１−３Ｂ）は逆止弁の正面図を示し、図１の（１−４）は注水時における円錐型逆止弁３の開状態の逆止弁部３拡大図であり、図１の（１−５）は注水休止時に地山から逆圧が掛かった場合の円錐型逆止弁３の閉状態を示す逆止弁部拡大図である。
【００１０】
この円錐型逆止弁３はゴム等の弾性体からなり、円錐頭頂部には吐出自動開閉用に一文字や十文字の切り込み３ａ（（１−３Ｂ）に示す）が施されている。
【００１１】
尚、図２は本発明の他の実施形態を示す多角錐型（六角錘）逆止弁の側面断面図及び正面図であり、円錐型と同様の働きをする。
【００１２】
次に上記実施形態の作用を、図１の１〜５を参照して説明する。
【００１３】
掘削ヘッド１の面版２上の注水口４に円錐型逆止弁３が設けられており、掘削ヘッド１の回転と共に送水ライン５を通し送水が行われる。この時、円錐型逆止弁３は送水圧によりその先端の切り込み部が掘削方向に向けて開き（図１の（１−４）に示す）掘削ヘッド前面に注水が行われる。
【００１４】
次に、掘削作業の休止と共に掘削ヘッド１の回転と送水が止められると、円錐型逆止弁３は弾性体からなるため送水圧がなくなると切り込み部４ａが閉じ元の閉状態に戻ることとなる（図１の（１−３Ａ）に示す）。
【００１５】
この休止時の閉状態では、逆に掘削側から圧が掛かり注水口４を通し土砂や水を送水ラインへ押込もうとする力が働くことがあるが、圧は円錐型逆止弁３の外面側から内側へ押し付ける力となり切り込み部３ａはより強く締付けられ閉じようとするため土砂や水の浸入を防止できることとなる。
【００１６】
【発明の効果】
以上説明したように本発明によるゴム等の弾性体からなる逆止弁を用いることにより、注水に問題なく、また注水休止時に地山から逆圧が掛かった場合でも注水ラインに土砂が流入することなく再開時の注水に支障をきたすことがない。
【図面の簡単な説明】
【図１】本発明における逆止弁が注水口４に取付けられた掘削ヘッドの一実施形態を示す説明図であり、
（１−１）は本発明の掘削ヘッドの側面断面図。
（１−２）は（１−１）の正面図。
（１−３Ａ）は（１−１）の逆止弁部拡大図。
（１−３Ｂ）は（１−３Ａ）の逆止弁の正面図。
（１−４）は注水時の（１−１）逆止弁部拡大図。
（１−５）は休止時に地山から逆圧が掛かった場合の逆止弁部拡大図。
【図２】本発明における他の実施形態を示す説明図であり、
（２−１Ａ）は四角錐方及び六角錐型逆止弁部の側面断面図。
（２−１Ｂ）は（２−１Ａ）の逆止弁の正面図。
【図３】従来の実施形態を示す平型逆止弁付掘削ヘッドの説明図であり、
（３−１Ａ）は平型逆止弁取付け時の側面断面図。
（３−１Ｂ）は（３−１Ａ）の平型逆止弁の正面図。
（３−２）は注水時の側面断面図。
（３−３）は休止時の地山から逆圧が掛かった場合の側面断面図。
【符号の説明】
１  掘削ヘッド
２  面盤
３  円錐型逆止弁
３ａ  切り込み
４  注水口
５  送水ライン
【図１】
2005009271.tif 000003
【図２】
2005009271.tif 000004
【図３】
2005009271.tif 000005
(57)【要約】【課題】折版屋根の流れ途中につく屋根を貫通した突起物等の水上部雨処理を平葺きしなくてすむ。折版連結筒を提供する。【解決手段】折版同士を折版連結筒でつなぎ、となりの折版に排水する。【選択図】    図１
2005009284.tif 000002
【特許請求の範囲】
【請求項１】
折版屋根の流れ途中より雨水を、となりの折版に流すことを特徴とする折版連結筒。
【発明の詳細な説明】
【０００１】
【発明の属する技術分野】本発明は折版屋根を貫通している突起物のある換気口やトップライト、看板塔の柱部などで途中に切断された折版屋根材の水上部の雨水処理に係るものである。
【０００２】
【従来の技術】従来は突起物の水上折版部に溜まった水を排水するシステムがなく、谷部に水が入らぬように平葺きして雨仕舞いをしてきた。図４は、従来の水上部の雨仕舞い処理の図で、図５はその姿図ある。図で示すように折版の谷部に雨が入らないよう下地材などで補強し水上最頂部まで平葺きして平面にしなければならなかった。
【０００３】
【発明が解決しようとする課題】しかし、このような従来の平葺きでは、水上部が長ければ長いほど平葺き鉄板の継ぎ手の箇所が多くなり歪に水溜りができ、漏水の原因、費用の増大、美観を損ねるなど問題点があった。
【０００４】
本発明は、平葺きをせず、流れてきた水を円滑にとなりの折版に流すことを目的としている。
【０００５】
【課題を解決するための手段】上記の目的を達成するために、本発明の折版連結筒は折版どうしをつなぎ、となりの折版に流すことにより、平葺きの必要はなくなる。
【０００６】
【発明の実施の形態】図２は本発明に係る、折版連結筒の使用状態を示す姿図である。図３に示すように折版の立ち上り（脇腹部３）を開口し折版連結筒５を貫通し折版に固定する。これで脇腹同士がつながれ、雨水をとなりの折版に流すことが容易になる。
【０００７】
上記実施の形態において図１の折版連結筒は、防水性があれば材質、形状、色、厚み、材料構成、大きさは特にこだわらない。
【０００８】
更に図２で突起物４の水上部に使用したが、必要であれば折版のどこにでも使用することができる。
【０００９】
【発明の効果】以上説明したように、本発明に係る屋根の折版連結筒は、以下に記載されるような効果がある。
【００１０】
平葺き工事の必要がなくなり経費がかなり削減でき、工期が短縮できる。屋根面がスッキリみえる。
【００１１】
【図面の簡単な説明】
【図１】折版連結筒の図で両サイド空洞である。
【図２】屋根材との折版連結筒の使用状態の姿図である
【図３】屋根材と折版連結筒との使用断面図である。
【図４】従来の水上部雨仕舞い処理の平葺き断面図である。
【図５】従来の水上部雨仕舞い処理の平葺き姿図である。
【符号の説明】
１  折版
２  谷底
３  脇腹
４  突起物
５  折版連結筒
５−ａ  防水性の部材  上部
５−ｂ  防水性の部材  側部
５−ｃ  防水性の部材  底部
６  水止め面戸
７  取り合い水切り
２０  平葺き鉄板
２１  平葺き下地補強材
【図１】
2005009284.tif 000003
【図２】
2005009284.tif 000004
【図３】
2005009284.tif 000005
【図４】
2005009284.tif 000006
【図５】
2005009284.tif 000007
(57)【要約】【課題】小物や新聞、いつも見たい写真や作品など身の回りには日常必需品がある。せまい部屋に余分な家具は置けないので整理整頓に困っていた。【解決手段】せまい部屋に家具を置くことなく、小物が収納でき、しまい失いすることなく整理整頓ができる。色々な作品の展示もでき家の中の飾りもでき楽しい。【選択図】      図１
2005009283.tif 000002
【特許請求の範囲】
【請求項１】
建具の厚みを利用して小物入れ収納の棚を設置した建具。
【請求項２】
上部は額式にし、ホワイトボードを貼りメモ、伝言、展示、写真など磁石で止められることが特徴。
【発明の詳細な説明】
【０００１】
【発明に属する技術分野】
部屋を有効に利用する収納技術分野。日常必需品が立体的に収納でき、小物の収納がひと目で分かり、せまい部屋を楽しく広く利用する技術分野。
【０００２】
【従来の技術】
小物や新聞、いつも見たい写真や書類など身の回りには沢山の日常必需品がある。かたずけてしまい、しまい失いよくしている。せまい部屋に余分な家具はおけないので、整理整頓に困っていた。
【０００３】
【発明が解決しようとする課題】
いつも暮らす、せまい部屋を少しでも広く利用したいと考え、二本引きの建具であまり動かさない建具の方に日常必需品を立体的にちょっと収納できたらと考えた。色々家の中も飾りたい絵や写真などもありスペースのなさに悩んでいた。建具の厚みに少し出すだけの厚みで、かなりの収納ができ部屋もパット明るくなると思った。
【０００４】
【課題を解決しようとする手段】
図２の箱で、入れる物により好きな間の高さに箱を設置することで部屋に飾りたい、小さい花や絵、メガネなど小物を家具を設置せず解決しようと考えた。
【０００５】
【発明の実地の形態】
建具の厚みと少し外に出る部分をたした厚みの図２の棚箱をつくる。図２の箱を図３やその他の金物で１０に取り付けるものとする。上部は５のベニヤにホワイトボードを貼り付ける。ちょっとした物が乗せられるように３のアクリルなどを取りつれる。
【０００６】
【実地例】
二本引きの建具や、あまり開け閉めしない開き戸に図２の収納箱を取り付けられるものとする戸。
【０００７】
【発明の効果】
せまい部屋に家具をおくことなく、小物が収納でき、しまい失いすることなく整理整頓ができる、色々な作品の展示も出来、家の中の飾りにもなり楽しい。
【図面の簡単な説明】
【図１】収納箱を取り付けた建具の図。
【図２】建具に取り付ける箱。
【図３】箱を知りつける金物の１例
【符号の説明】
１          建具
２          ホワイトボード
３          透明の支え板アクリルなど。
４          建具に取り付ける箱。
５          建具の裏のベニや。
６          箱を取り付けれるためのかに者の穴。
７          ビデオ、メガネなど収納品の例。
８          マジック磁石。
９          建具のベニや
Ｉ０        金物
１１        取り付ける金物
2005009283.tif 000003
【手続補正書】
【提出日】平成15年8月22日(2003.8.22)
【手続補正１】
【補正対象書類名】図面
【補正対象項目名】全図
【補正方法】変更
【補正の内容】
【図１】
2005009283.tif 000004
【図２】
2005009283.tif 000005
【図３】
2005009283.tif 000006
(57)【要約】〔課題〕この発明は小巾シャッター（１７）内へ設置する補助扉に関するものである。〔解決手段〕三角支柱（１）、転倒防止アーム（２）等の自立可能なフレームに片開き扉（８）を組付け、シャッターの中間ガイド（１３）に扉受け面（１４）を接着（２）させる。シャッター開口高さはシャッターストッパー（９）により規正させる。【選択図】  図５
2005009287.tif 000002
【特許請求の範囲】
【請求項１】
（イ）三角支柱（１）と転倒防止アーム（２）、これらを組合せる為止メ板（３）、スティー（４）を設ける。
（ロ）組付調整と取付固定にアジヤストボルト（５）、固定ボルト（６）を設ける。
（ハ）扉（８）は三角支柱（１）の垂直後面の蝶番（７）へ組付ける。
（ニ）扉（８）自体は下面側はボード（１０）、上面側は金網又はアクリル板（１１）を窓枠金具（２１）をもちいて組付け、上下方向の中央部はロックレバー（１２）を設ける。
（ホ）扉（８）の閉時の当て面として、扉受け面（１４）をシャッター中間ガイド（１３）後面へ接着（２０）させる。
（ヘ）前面シャッターの規正に扉（８）上面へシャッターストッパー（９）を設ける。
以上の如く構成されたシャッター内側の補助扉
【発明の詳細な説明】
【２００１】
〔発明の属する技術分野〕
この発明は既設シャッターの内側え三角支柱（１）に取り付けた扉（８）を据え付けることにより、日常の出入り時の戸締の軽減をはかり、扉からの採光、あるいわ換気を得る装置に関するものである。
【２００２】
〔従来の技術〕
従来のシャッター内に扉を附加したる場合扉の取付柱と施錠側当り面に相当する柱を必要とします。
主シャッターと小巾シャッターの両者の全開時に増設したる柱と上下外周枠等の障害が有り、シャッター開口巾が大きく害われる。結果として該当シャッターの機能が低くなる。このような理由で補助扉の実施はなされない。
【２００３】
〔発明が解決しようとする課題〕
工場あるいはガレージ入口にはシャッターが施されている。このシャッターは間口の広い場合、主シャッター（１６）、中間ガイド（１３）、小巾シャッター（１７）による構造である。
人の出入りは、小巾シャッター（１７）を利用する。比の開閉時の騒音労力はわずらわしい欠点である。採光、換気をはかる為の開放も防犯上問題である。
こうした使用の不便を解消させ、その上全開時において既設巾をそこなわない補助扉の発明である。
【２００４】
〔課題を解決する為の手段〕
いまその構造を説明する
（イ）角パイプ等で構成された三角支柱（１）の後面先端は床面の傾斜に対応させる為に少量の浮き上がり角を付けておき、アジヤストボルト（５）で据付調整を行う。
（ロ）支柱垂直部後面に蝶番（７）を付ける。
（ハ）通路側に対するささえとし、転倒防止アーム（２）を止メ板（３）とスティー（４）により前後から組付ける。
（ホ）扉（８）は三角支柱（１）の蝶番（７）に組付ける。
（ヘ）上下の窓枠金具（１０）によりボード（１０）及び金網又はアクリル板（１１）をはめ込む
（ト）既設シャッターの中間ガイド（１３）の後面に扉受け面（１４）を、ロックレバー（１２）とロック角孔（１５）を基準に金属接着用両面テープで接着（２０）させる。
（チ）扉（８）上面にシャッターストッパー（９）を組付ける。
以上のように装置する。
【２００５】
〔発明の実施の形態〕
本発明の実施の形態を述べる。
これは小巾シャッター（１７）内側へ設置する装置である。扉（８）は取り付け用フレームである三角支柱（１）に付けられた蝶番（７）にねじ止メする、下面には転倒防止アーム（２）を組付けることにより自立出来る。
扉（８）の閉時は既設シャッターの中間ガイド（１３）の内側面に接着（２０）された扉受け面（１４）のロック角孔（１５）と扉（８）に付けているロックレバー（１２）の操作により実施する。
扉（８）の開時、閉時、いずれの場合でもシャッターの開閉は可能である扉（８）の利用時はシャッター下面板（１９）がシャッターストッパー（９）へ接触するまでを上昇限度とする。側壁へはスペーサー（２１）を介して固定ボルト（６）で固定させる。
【２００６】
〔発明の効果〕
この発明は大小２条のシャッターを有する場合、小巾シャッター（１７）の内側に設置する補助扉である、その該当する小巾シャッター（１７）は全く支障なく、そのまま開閉出来る。
主シャッター（１６）と小巾シャッター（１７）の全開時には中間ガイド（１３）を撤去します。この場合は扉（８）を９０°内側へ開いておくことにより、全体の開口率はほとんど劣る事がない設備である。
【図面の簡単な説明】
【図１】本発明の斜視図
【図２】本発明の転倒防止板組付部斜視図
【図３】本発明の扉受け面斜視図
【図４】本発明の平面及び断面図
【図５】本発明の使用常態斜視図、一部断面図
【符号の説明】
１は三角支柱
２は転倒防止アーム
３は止メ板
４はスティー
５はアジヤストボルト
６は固定ボルト
７は蝶番
８は扉
９はシャッターストッパー
１０はボード
１１は金網又はアクリル板
１２は接触面
１３は中間ガイド
１４は扉受け面
１５はロック角孔
１６は主シャッター
１７は小巾シャッター
１８はシャッターガイド
１９はシャッター下面板
２０は接着
２１は窓枠金具
【図１】
2005009287.tif 000003
【図２】
2005009287.tif 000004
【図３】
2005009287.tif 000005
【図４】
2005009287.tif 000006
【図５】
2005009287.tif 000007
【手続補正書】
【提出日】平成16年2月17日(2004.2.17)
【手続補正１】
【補正対象書類名】明細書
【補正対象項目名】２００５
【補正方法】変更
【補正の内容】
【２００５】
〔発明の実施の形態〕
本発明の実施の形態を述べる。
これは小巾シャッター（１７）内側へ設置する装置である。扉（８）は取り付け用フレームである三角支柱（１）に付けられた蝶番（７）にねじ止メする、下面には転倒防止アーム（２）を組付けることにより自立出来る。
扉（８）の閉時は既設シャッターの中間ガイド（１３）の内側面に接着（２０）された扉受け面（１４）のロック角孔（１５）と扉（８）に付けているロックレバー（１２）の操作により実施する。
扉（８）開時、閉時は、いずれの場合でもシャッターの開閉は可能である。扉（８）の利用時はシャッター下面板（９）がシャッターストッパー（９）へ接触するまでを上昇限度とする。側壁へはスペーサー（２２）を介して固定ボルト（６）で固定させる。
(57)【要約】【課  題】本発明は土木、建築の構造物の築造における鉄筋工事で鉄筋の組立に使用する帯筋及びあばら筋に関し従来工法の改善を目的としたものである。鋼材の劣化やコンクリートの劣化等に起因して生じる鋼材の破断や亀裂等が構造物に与える耐力の低下を改善する為に今回の形鋼材を発明した形鋼材はＴ型の断面形状とし各出隅部の角を丸面取りとし入隅部を丸面付けとする、熱間圧延工法を用い四方閉鎖型の一体製造とする上述の如く帯筋及びあばら筋の製造及び加工に関する【解決手段】本発明は従来工法の異型鉄筋による帯筋及びあばら筋を角丸面Ｔ字形断面の形鋼材にする事で曲げ強度等の改善を計り構造物の耐力の向上に役立てるようにした。Ｔ字形断面の出隅部及び入隅部を丸面付けにしてコンクリートとのなじみをよくし、相互間の気密性を損なわないようにした。又全体構成を四方閉鎖型とし加工等による鋼材の強度の低下を防ぐ為に熱間圧延工法による製造を基本としたものである。上述の如く構造物全体の強度の向上に役立つ角丸面Ｔ字形断面の帯筋及びあばら筋を発明した。【選択図】  図１
2005009270.tif 000002
【特許請求の範囲】
【請求項１】
土木建築の構造物の築造における鉄筋工事で使用する柱の帯筋及び梁のあばら筋の鋼材断面の形状をＴ字形にした形鋼材
【請求項２】
請求項１の出隅部分の角を面取りして外丸面に、入隅部分を面付にした角丸面Ｔ字形断面の形鋼材
【請求項３】
請求項１及び請求項２で記した形鋼材で製造した一体構造の四方閉鎖型の帯筋及びあばら筋
【発明の詳細な説明】
【０００１】
【発明の属する技術分野】
本発明は土木、建築の構造物の築造において、鉄筋工事の柱筋、梁筋の絹立で使用する帯筋、あばら筋の形鋼材の断面形状及びこの形鋼材を使用した一体構造の帯筋、あばら筋の製作及び使用に関する
【０００２】
【従来の技術】
従来、土木、建築の鉄筋コンクリート構造、鉄骨鉄筋コンクリート構造等の鉄筋工事で使用する帯筋及びあばら筋は異型鉄筋を冷間工法で加工製作して施工しているのが大部分である。
【０００３】
【発明が解決しようとする課題】
異型鉄筋を使用した帯筋、あばら筋はベンダー等の冷間工法にて施工する為に曲げ加工部分の強度が低下するので地震や年月の経過による鋼材の劣化及びコンクリートの劣化（鋼材の錆の発生やコンクリートの化学反応等に起因する膨張、亀裂、破壊等）が原因で生じる鋼材の破断や亀裂に対し耐力不足が生じる場合があり構造物の安定が損なわれる。
【０００４】
異型鉄筋ではコンクリートに圧縮力が生じる時に帯筋、あばら筋の中央部が曲げに弱いので主筋の応力に対する曲げに対し対応出来なくなる場合が生じる。
【０００５】
本発明の帯筋、あばら筋を使用する事で、従来工法と比較して強度の向上を計り耐力を補う事で前述の欠点を解決しようとするものである。
【０００６】
【課題を解決するための手段】
本発明は異型鉄筋で造る、帯筋及びあばら筋をＴ字形断面の形鋼材で造る事で強度の向上が計れるようにした。
【０００７】
曲げ角部の強度の向上を計るために製品は四方閉鎖型の一体構造とし基本の製造方法を熱間圧延工法にする事で従来工法と比較して、曲げ角部の強度の低下を改善した。
【０００８】
【発明の実施の形態】
帯筋及びあばら筋に使用する形鋼材の断面はＴ字型の形状とし断面の出隅部は丸面取り、入隅部は丸面付けとしてコンクリートとなじみ易いようにした。
【０００９】
一体製法の四方閉鎖型とし曲げ加工等による角部の強度の低下を防いだ。
【００１０】
製造方法は熱圧延工法を基本とするが、部分的に現場等では継手部分等を溶接やガス圧接工法及びボルト接続工法等を併用する事も出来る。
【００１１】
【実施例】
以下添付図面に従って一実施例を説明する。図１で示すように帯筋やあばら筋に使用する形鋼材は角丸面Ｔ字形断面形状とする
【００１２】
角丸面Ｔ字形断面の形鋼材は図１イに示すように出隅角部分は丸面取りとし図１ロに示すように入隅部分を丸面付けにすることによりコンクリートの打設時に骨材の流れが滑らかになるようにしてコンクリート躯体の密度を高め、鋼材の周囲に隙間が生じにくい様な形状の造りにする
【００１３】
製造方法は熱間圧延法を基本とし（その他の製造方法との併用もある）四方閉鎖型の一体構造とする
【００１４】
前項に述べた四方閉鎖型では現場の施工上不都合が生じる場合があるので、２分割等の製品も製造し、現場施工時に溶接工法やガス圧接工法等を併用する事もある。又ボルトによる接続方法等で施工する事も出来る
【００１５】
本発明の実施例は上記の如き構成からなるもので土木、建築の構造物築造における鉄筋工事の柱筋組立に供する帯筋及び梁筋組立に供するあばら筋の鋼材の断面形状及びその構成及び製造加工に関する
【００１６】
【発明の効果】
上記の如く本発明の角丸面Ｔ字形断面の形鋼材を使用した帯筋、あばら筋は従来の異型鉄筋を加工して使用するのと比較して次の点で有利になる
（イ）年月の経過による鋼材やコンクリートの劣化が原因で生じる応力に対する耐力の向上が計れる
（ロ）コンクリートの化学反応等に起因するコンクリートの膨張や劣化による鋼材の破断や欠損等に対する耐力の向上が計れる
（ハ）地震等構造体に掛かる多種の応力に対する耐力の向上が期待できる
【図面の簡単な説明】
【図１】本発明の角丸面Ｔ字形断面の形鋼材の断面図
【図２】熱間圧延工法で一体製造した四方閉鎖型の帯筋及びあばら筋の平面図
【図３】熱間圧延工法で一体製造した四方閉鎖型の帯筋及びあばら筋の側面図
【図４】図２を２分割にした平面図
【図５】本発明の鋼材と柱筋及び梁筋の組立相関図
【図６】本発明の鋼材と柱筋及び梁筋の組立相関図
【図７】帯筋組立時における巾止め筋（ダイヤフープ）との取合い平面図
【図８】帯筋組立時における巾止め筋（ダイヤフープ）との取合い断面図
【符号の説明】
イ  角丸面Ｔ字形断面形鋼材の出隅部
ロ  角丸面Ｔ字形断面形鋼材の入隅部
１  本発明の角丸面Ｔ字形断面の形鋼材
２  柱主筋及び梁主筋
３  巾止め筋の受け鋼材
４  巾止め筋（ダイヤフープ）
【図１】
2005009270.tif 000003
【図２】
2005009270.tif 000004
【図３】
2005009270.tif 000005
【図４】
2005009270.tif 000006
【図５】
2005009270.tif 000007
【図６】
2005009270.tif 000008
【図７】
2005009270.tif 000009
【図８】
2005009270.tif 000010
(57)【要約】      （修正有）【課題】今後における住宅・工場・店舗等は地球温暖化防止のために２酸化炭素ガス排出の抑制が必要不可欠であり、エネルギーの利用を押さえる必要がある。そのエネルギーの節約の一つが自然エネルギー又は余剰熱の蓄熱でる。そのために地下に蓄熱層を設け、そこに昼間の太陽熱を溜めたり、昼間のソーラー発電を利用して地下に冷熱を溜める装置が普及するものと思われる。そのときの冷暖空気の移動にパイプが必要である。スペースは最小で、余分な取り付け金具等も不要であり、工事は手早く出来、断熱効果も高いパイプの提案。【解決手段】薄型のだ円又は長四角の断面形状で、断熱性の優れた２層の樹脂製またはアルミ製のパイプとする。【選択図】図１
2005009654.tif 000002
【特許請求の範囲】
【請求項１】
建物内の空調配管あるいは各種配管配線工事における、管を建物の壁の中や床下、天井内に敷設しやすいように、薄型のだ円又は長四角の断面形状で、かつ断熱性に優れた２層の樹脂製またはアルミ製のパイプを提供する。
【発明の詳細な説明】
本発明は、住宅・工場・事務所・店舗などの空調配管をするとき壁の厚み内に通気管を取り付けるときに、この薄型のだ円又は長四角のパイプを使用すれば壁内に効率よく吸排気のスペースが確保できるものである。又  パイプを２重にし、外側の隙間には断熱材を充填すれば断熱効果がさらに高まり結露防止になり、壁内が湿気で腐ることを防止でき、かつ断熱に優れたるものである。
これからの住宅等には省エネのために蓄熱構造物が普及すると思われるが、その蓄熱体からの熱の出し入れに、従来の丸い配管材ではどうしてもスペースを必要としデザイン上、ネックとなるが、本発明のパイプは薄型のためデザイン上すっきりと収まり大変有効である。
さらに吸気と排気の２方向が必要の場合には図面の図１または図２の如く２連の管を使用すれば施工も簡単である。
又  各種のケーブル類をまとめて通したり、屋外の光を建物の中に導入することも可能である。
パイプの側面には図面の番号４の形の耳を作り  、敷設する時には此処に穴を開けてビス等で壁内に取り付ける事が出来るので  、パイプの位置がずれることもない。  サイズは目的別に規格化し、断熱のさほど不必要のものには断熱材の未充填の管も提供する。
【発明が属する技術分野】
Ｆ機械工学
【図面の簡単な説明】
【図１】２方向管の断面図である。
【図２】２方向管の取り付け位置の違う管の断面図である。
【図３】１方向管の断面図である。
【図４】図１の２方向管の斜視図である。
【符号の説明】
１、  断熱材            ２、    通路空間
３、  管本体            ４、    取り付け座面（耳部）
【図１】
2005009654.tif 000003
【図２】
2005009654.tif 000004
【図３】
2005009654.tif 000005
【図４】
2005009654.tif 000006
【手続補正書】
【提出日】平成15年8月12日(2003.8.12)
【手続補正１】
【補正対象書類名】図面
【補正対象項目名】全図
【補正方法】変更
【補正の内容】
【図１】
2005009654.tif 000007
【図２】
2005009654.tif 000008
【図３】
2005009654.tif 000009
【図４】
2005009654.tif 000010
【手続補正書】
【提出日】平成15年10月7日(2003.10.7)
【手続補正１】
【補正対象書類名】図面
【補正対象項目名】全図
【補正方法】変更
【補正の内容】
【図１】
2005009654.tif 000011
【図２】
2005009654.tif 000012
【図３】
2005009654.tif 000013
【図４】
2005009654.tif 000014
(57)【要約】【課題】ドアの開放を防止するには施錠することが通常行われるが、錠によっては施錠が固いとかのため手間を要する場合がある。又、確実に施錠されているのを確認するにはドア把手を回してドアを押す又は引く動作が必要である。【解決手段】ドアが自由に揺動するのを防止し、不注意で閉めるのを忘れても自動的にドアを閉める目的で家屋の出入口ドアにはドアクローザーが一般的に取付けされる。このドアクローザーのアームリンクに簡単に装着することでアームリンクが固定され、不意の侵入者によるドアの開放が防止される。しかもドアが開放防止状態にあることが目視で容易に確認でき、ドアやドア枠への何らの加工が不要である。【選択図】  図１
2005009128.tif 000002
【特許請求の範囲】
【請求項１】
楕円筒又は円筒形状で、ドアクローザーの２本のアームリンクにドア閉の状態では着脱容易であり、ドアクローザーに装着された状態ではドアの開放が困難となるドア開放防止具
【発明の詳細な説明】
【０００１】
【発明が属する技術分野】
本発明は、家屋内に家人が居るとき、ドアに施錠することなくドアクローザーのアームリンクに簡単に装着しておくのみで、不意の侵入者によるドアの開放が防止できる安価な用具を提供するものである。
【０００２】
【従来の技術】
近年家人在宅中といえども、防犯の目的から出入り口ドアには施錠しておくことが一般的である。施錠の方法は各種あるが、錠の老朽化等により手間の掛かる場合もあり、又確実に施錠されたか否かを確認するには、ドア把手を回してドアを押すか引くかの確認動作を行う必要もあり、目視では簡単に確認できない欠点がある。
【０００３】
【発明が解決しようとする課題】
従って、本発明は構造簡単であり、容易にドアクローザーに装着されてドアの開放が防止され、外部者によるドアの開放が困難であり、しかも目視で簡単にドアの固着が確認できる用具を提供するものである。
【０００４】
【課題を解決するための手段】
本発明は、一般的にドアに取り付けられているドアクローザーのアームリンクを活用し、断面が楕円形もしくは円形の筒を上記部位に装着するのみで簡単にドアの開放が防止でき、しかも目視で確認できることを特徴とする用具である。
【０００５】
【発明の実施の形態】
本発明の詳細を添付図面により説明する。
図１は、ドアクローザーのアームリンク部に開放防止具１が装着された状態を示す。この状態では外部からドアを開こうとしても、アームリンク３が開放防止具１により固定されるためドアは容易には開かない。
図２は、本発明の開放防止具１の斜視図であり、図３は、図１のＡ−Ａ断面である。
外筒１ａは、軽量で強度を有する材質で製作された楕円筒であり、内面には嵌合されるアームリンク３を傷つけないためと摩擦力を保持するためにゴム等で成形された緩衝部材１ｂが接着される。緩衝部材１ｂの内面にはアームリンク３との接触を滑らかにすべく適度な勾配を設けることが好ましい。
説明上開放防止具１は楕円筒形としたが、断面は円筒形状でも可能で本発明の実質的効能は同一である。
【０００６】
【発明の効果】
ドアを一時的に開放防止する際にドアクローザーのリンクアーム部に装着するのみで、簡単に所期の目的が達成され、それが目視で確認される。しかもドアには何らの加工も不要である。
【図面の簡単な説明】
【図１】本発明の取付け実施例を示す。
【図２】本発明実施例の斜視図である。
【図３】図２のＡ−Ａ断面図である。
【符号の説明】
１    開放防止具
１ａ  外筒
１ｂ  緩衝部材
２    ドアクローザー本体
３    アームリンク
４    ブラケット
５    ドア
６    ドア枠
【図１】
2005009128.tif 000003
【図２】
2005009128.tif 000004
【図３】
2005009128.tif 000005
(57)【要約】【課題】店舗又は事務所等において、必要な範囲の空間を仕切る場合、該空間に閉塞感を与えることなく美観を保持出来、執務者と顧客との信頼を維持しながら、業務遂行に必要な守秘を保持できる間仕切りを提供する。【解決手段】堅牢性、防御性を維持するため選択する材質の金属板２を用い、間仕切り１を形成するが、前記金属板２の上部に適度の遮光、遮音を保持させるため、例えば１２φ２５ピッチの小孔３を穿設する。該小孔３を設ける面積の広狭は、対象空間の広狭、遮光、遮音の必要の程度等を基準にして決定される。【選択図】        図１
2005009134.tif 000002
【特許請求の範囲】
【請求項１】
金属板２の上部に多数の小孔３を穿設して形成したことを特徴とする遮光間仕切り
【発明の詳細な説明】
【０００１】
【発明が属する技術分野】
本発明は、店舗、事務所などにおいて、執務者側から来集する顧客などの動静が容易に把握できるが、来集者側からは執務者側をみだりに覗きみることができないようにし、必要な範囲で室内の平穏や顧客のプライバシーを維持することができる間仕切りの改良に関するものである。
【０００２】
【従来の技術】
処理すべき事項の性質によっては、来集する顧客などの動静を把握する必要はあるが、執務者の動静を或程度秘匿することにより平穏が維持されることがある。また、顧客のプライバシーをまもるために該顧客以外の第三者の眼を封じる必要がある場合がある。更に、静かな雰囲気をかもすために、室内を見通せない状況に導き、かつ、適度の遮音を伴うことが効果的であることがある。このような場合に、間仕切りが活用されることがあるが、容易に見通し得ないということは、反面観察も十分行き届かず、サービス不足を招きかねないとの欠点をも伴う。また、その材質を例えば、ガラス或いは竹木などを用いると堅牢性、防御性に欠けたり、この欠点を補えば調度などとの調和上美観を損ねることになりかねない。これらの長所と短所を同時に解決する間仕切りは未だ提案されていない。
【０００３】
【発明が解決しようとする課題】
解決しようとする問題点は、堅牢性、防御性を備えるが強調されず、外観と適度な遮音効果から落ち着いた雰囲気を維持でき、相手の動静はよく把握できるが、必要なプライバシーを守ることもできる間仕切りを提案することにある。
【０００４】
【課題を解決するための手段】
本発明は、前記課題を解決するため鋭意研究した結果、間仕切りが適度に遮光することにより、間仕切りを介して相対する空間の明るさが異なるとき、一方からは他方がよく見えるが、その反対方向からは見にくくなることを応用し、落ち着いた雰囲気を維持するため、遮光効果と併せて適度な遮音効果があり、かつ、業務により特に求められることがある堅牢性、防御性を備えるがこの点が強調されると不快感を生じやすいので格別これらのみを意図したものとは見えず、周囲との調和が容易な材質及び形状を採用した。
【０００５】
【発明の実施の形態】
本発明を図面により説明する。図１は実施例の概要を示す正面図、図２は本発明に係る間仕切りの配置例を示す俯瞰図である。間仕切り１は、金属板２を用いて形成する。用いる材質は、防御性を重視するか否かにより選択すべきである。該金属板２の上部に例えば１５φ２５ピッチの小孔３を穿設する。該小孔３を設ける部分は、間仕切り１によって仕切られる空間の大小（大きければ金属板２の面積の過半部分に設けることが好ましい場合が多い。）、遮光及び遮音の必要の大小（業務の性質などが考慮されるべきである。）、防御性の必要の強弱、更には調度との調和（例えば、小孔３を設ける部分が狭いと仕切られる空間が閉塞感を生じがちである。）、などを基準として決定すべきである。従って、小孔３を穿設しない金属板２の基礎部の広狭は、上記の基準により相対的に選択すべきである。また、金属板２の表面は、所望の色彩及び模様などを付し、周囲との調和を図ることも望ましい。間仕切り１は、図２に示すように室空間を間仕切り１によって上下左右完全に分離することなく、例えば天井に係着させ、又は適宜の支持補助具４を用いるなどして、所望範囲部分のみを仕切るために用いることもできる。
【０００６】
【発明の効果】
以上説明したように、本発明の遮光間仕切りを用いれば、仕切後の空間に閉塞感を生じることが回避可能であり、執務者と顧客との信頼を維持しながら、業務遂行に必要な範囲で守秘を保持し得ることができるばかりでなく、調度などと調和が可能で美観を損なうことがない。
【図面の簡単な説明】
【図１】実施例の概要を示す正面図
【図２】本発明に係る間仕切りの配置例を示す俯瞰図
【符号の説明】
１    間仕切り
２    金属板
３    小孔
４    支持補助具
【図１】
2005009134.tif 000003
【図２】
2005009134.tif 000004
(57)【要約】【課題】把手装置６に初めて接する誰でもが把手装置６の使用方法（操作）を確実に知ることが出来るようにする。【解決手段】揺動把手１０の、上部前面に、揺動把手１０が垂下状となった状態においてケーシング７よりはみ出すように前方に膨出した膨出部１５が設けられているので、その膨出部１５が目に付きやすく且つ膨出部１５を触れば揺動把手１０が揺動するので、把手装置６に初めて接する誰でもが膨出部１５を押せばよいことを知ることが出来る。【選択図】  図２
2005009084.tif 000002
【特許請求の範囲】
【請求項１】
前方に開放した凹所を有するケーシングと、このケーシングの上部に軸心を左右方向に向けた枢軸により前後揺動自在に設けられた揺動把手とを有し、前記揺動把手は、上端より下方の上部において枢軸によりケーシングに揺動自在に設けられ、垂下状となった状態で凹所の開口を塞ぐようになされている把手装置において、前記揺動把手の、上部前面に、揺動把手が垂下状となった状態においてケーシングよりはみ出すように前方に膨出した膨出部が設けられている把手装置。
【発明の詳細な説明】
【０００１】
【発明の属する技術分野】
本発明は、引き出し・扉等の把手装置として好適な把手装置に関する。
【０００２】
【従来の技術】
従来、この種の把手装置として以下の如きものは知られている。
前方に開放した凹所を有するケーシングと、このケーシングの上部に軸心を左右方向に向けた枢軸により前後揺動自在に設けられた揺動把手とを有し、前記揺動把手は、上端より下方の上部において枢軸によりケーシングに揺動自在に設けられ、垂下状となった状態で凹所の開口を塞ぐようになされているものは知られている。
前記把手装置は以下のように操作される。揺動把手の上部を後方に押して、揺動把手の下部を前方に突出させ、その下部に手を掛けて揺動把手を前方に引く。
この操作により、当該把手装置が取り付けられた部材（例えば、引き出し・扉等の部材）を前方に移動させることが出来る。
【０００３】
【従来技術の欠点】
前記従来の把手装置には以下の如き欠点があった。
揺動把手の前面は、全体として起伏のない平面（又は周縁部が面取りされ中央部が起伏のない平面）であったため、当該把手装置に初めて接する者は、当該把手装置をどのように操作すればよいかを直ちに判断出来ないという欠点があった。
【０００４】
【前記欠点を解消するための手段】
本発明は前記欠点を解消するために以下の如き手段を採用した。
請求項１の発明は、前方に開放した凹所を有するケーシングと、このケーシングの上部に軸心を左右方向に向けた枢軸により前後揺動自在に設けられた揺動把手とを有し、前記揺動把手は、上端より下方の上部において枢軸によりケーシングに揺動自在に設けられ、垂下状となった状態で凹所の開口を塞ぐようになされている把手装置において、前記揺動把手の、上部前面に、揺動把手が垂下状となった状態においてケーシングよりはみ出すように前方に膨出した膨出部が設けられているものである。
【０００５】
【発明の効果】
本発明は前記した如き構成によって以下の如き効果を奏する。
請求項１の発明によれば、揺動把手の、上部前面に、揺動把手が垂下状となった状態においてケーシングよりはみ出すように前方に膨出した膨出部が設けられているので、その膨出部が目に付きやすく且つ膨出部を触れば揺動把手が揺動するので、膨出部を押せば揺動把手を揺動させて揺動把手を把手として使用する状態に出来ることを、把手装置に初めて接する誰でもが確実に知ることが出来る。
また、膨出部がケーシングよりはみ出すようになされているので、膨出部がない場合に比較して、揺動把手の上部（膨出部）の、ケーシング内への押し込み量を少なくして揺動把手を従来装置と同様の揺動量だけ揺動させることが出来る。
【０００６】
【発明の実施の形態】
以下に本発明の実施の形態を説明する。
なお、この説明において、前とは図１紙面表側を、後とは同裏側をいい、左とは図１左側を、右とは同図右側をいう。
【０００７】
引き出し１の前板２に前方に開放した窪み４が形成され、この窪み４に把手装置６が後で詳述するようにして取り付けられている。
【０００８】
前記把手装置６は、窪み４に嵌められた、前方に開放した凹所８を有するケーシング７と、このケーシング７の上部に軸心を左右方向に向けた枢軸９により前後揺動自在に設けられた揺動把手１０とを有している。
前記ケーシング７の底部には軸心を前後方向に向けたねじ孔１２が形成され、このねじ孔１２に、前板２に形成された前後方向に貫通する貫通孔１３を通じて後方よりねじ１４をねじ嵌めることにより、ケーシング７（把手装置６）は、前板２に固定されている。
【０００９】
前記揺動把手１０は、上端より下方の上部において枢軸９によりケーシング７に揺動自在に設けられ、自重により垂下状となった状態で凹所８の開口を、ほぼ又は完全に塞ぐようになされている。なお、揺動把手１０は図２の一点鎖線で示す位置まで揺動するようになされ、その状態で揺動把手１０の上部の点Ａが、凹所８の底部に当たるようになされている。
【００１０】
前記揺動把手１０の、上部前面に、揺動把手１０が垂下状となった状態においてケーシング７よりはみ出すように前方に膨出した膨出部１５が設けられている。更に詳述すれば、この膨出部１５は、揺動把手１０の前面の他の部分より前方に膨出している。この膨出部１５を後方に押せば揺動把手１０の下部を前方に突出させ、揺動把手１０の下部を把手として使用することが出来る。
【００１１】
【変形例等】
以下に変形例等について説明を加える。
（１）膨出部１５の断面形状は任意である。
（２）揺動把手１０の形状は任意である。
（３）把手装置６を、収納庫の扉等に取り付けるようにしてもよい。
（４）ばね等を利用して揺動把手１０を垂下状とさせるようにしてもよい。
【図面の簡単な説明】
【図１】本発明の実施の形態を示す要部正面図である。
【図２】図１のＩＩ−ＩＩ線断面図である。
【図３】図１のＩＩＩ−ＩＩＩ線断面図である。
【符号の説明】
６  把手装置
７  ケーシング
８  凹所
９  枢軸
１２  ねじ孔
１３  貫通孔
１４  ねじ
１５  膨出部
【図１】
2005009084.tif 000003
【図２】
2005009084.tif 000004
【図３】
2005009084.tif 000005